(57)【特許請求の範囲】
【請求項１】
第１の色調整データを使用した色調整処理を経て被写体像の映像信号を生成するビデオスコープと接続され、該ビデオスコープから送信される該生成された映像信号を受信する電子内視鏡用プロセッサであって、
前記被写体を照明するための照明光を放射する光源と、
前記ビデオスコープにより使用されている前記第１の色調整データが前記光源に適合しているか否かを判定する色調整データ判定手段と、
前記色調整データ判定手段が、前記第１の色調整データが前記光源に適合していないと判定した場合に、前記映像信号を前記光源に適合した信号に変換するために使用する色変換データを取得する色変換データ取得手段と、
前記色変換データ取得手段により取得された前記色変換データを使用して、前記ビデオスコープによって送信された前記映像信号に対する色変換処理を行う色変換手段と、
を備えた電子内視鏡用プロセッサ。
【請求項２】
複数種類の色変換データを記憶する色変換データ記憶手段を更に備え、
前記色変換データ取得手段は、前記色変換データ記憶手段に記憶された前記複数種類の色変換データから、前記映像信号を前記光源に適合した信号に変換するために使用するデータを選択して取得し、
前記色変換手段は、前記色変換データ記憶装置から取得した前記データを、前記色変換データとして用いて、色変換処理を行う、
ことを特徴とする、請求項１に記載の電子内視鏡用プロセッサ。
【請求項３】
前記光源に適合する第２の色調整データを記憶する色調整データ記憶手段と、
前記色調整データ判定手段が、前記第１の色調整データが前記光源と適合していないと判定した場合に、前記色調整データ記憶手段に記憶された前記第２の色調整データを、前記第１の色調整データの代わりに使用されるデータとして、前記ビデオスコープに送信する色調整データ送信手段と、を更に備える、
ことを特徴とする、請求項１又は２のいずれか一項に記載の電子内視鏡用プロセッサ。
【請求項４】
前記ビデオスコープに前記第２の色調整データを登録する登録領域があるかを判定する登録領域判定手段を更に備え、
前記色調整データ判定手段が、前記第１の色調整データが前記光源と適合していないと判定し、かつ、前記登録領域判定手段が前記ビデオスコープに前記第２の色調整データを登録する登録領域があると判定した場合に、前記色調整データ送信手段が前記第２の色調整データを、前記登録領域に登録されるデータとして、前記ビデオスコープに送信する、
ことを特徴とする、請求項３に記載の電子内視鏡用プロセッサ。
【請求項５】
前記色調整データ送信手段は、前記色変換手段が前記映像信号に対する色変換処理を行った後に、前記第２の色調整データを前記ビデオスコープに送信することを特徴とする、請求項４に記載の電子内視鏡用プロセッサ。
【請求項６】
前記ビデオスコープによって送信された前記映像信号は、輝度信号及び少なくとも２つの色差信号を含む信号形式を有し、
前記色変換データは、前記映像信号を該映像信号と同じ信号形式を有する映像信号に変換するためのマトリックスデータである、
ことを特徴とする、請求項１から５のいずれか一項に記載の電子内視鏡用プロセッサ。
【請求項７】
前記色変換データは、ＲＧＢ信号をＲＧＢ信号へ変換するマトリックスデータであることを特徴とする、請求項１から５のいずれか一項に記載の電子内視鏡用プロセッサ。
【請求項８】
前記色変換データは３×３マトリックスデータであることを特徴とする、請求項１から７のいずれか一項に記載の電子内視鏡用プロセッサ。
【請求項９】
前記色変換データは、前記ビデオスコープから送信された前記映像信号を、標準光で照明された前記被写体を肉眼で観察したときに得られる色調をもつ映像信号に変換するように構成されていることを特徴とする、請求項１から８のいずれか一項に記載の電子内視鏡用プロセッサ。
【請求項１０】
電子内視鏡用プロセッサ及び該電子内視鏡用プロセッサと接続されたビデオスコープを備えた電子内視鏡装置であって、
前記ビデオスコープは、
前記照明光による照明下で形成される前記被写体像のカラー画像信号を生成する撮像素子と、
前記撮像素子によって生成された前記カラー画像信号から、第１の色調整データを使用した色調整処理を経て、前記映像信号を生成する色調整手段と、を備え、
前記電子内視鏡用プロセッサは、
前記被写体を照明するための照明光を放射する光源と、
前記ビデオスコープにより使用されている前記第１の色調整データが前記光源に適合しているか否かを判定する色調整データ判定手段と、
前記色調整データ判定手段が、前記第１の色調整データが前記光源に適合していないと判定した場合に、前記映像信号を前記光源に適合した信号に変換するために使用する色変換データを取得する色変換データ取得手段と、
前記色変換データ取得手段により取得された前記色変換データに基づいて、前記ビデオスコープにより送信された前記映像信号に対して色変換処理を行う色変換手段と、を備える、
ことを特徴とする、電子内視鏡装置。
【請求項１１】
前記電子内視鏡用プロセッサは、複数種類の色変換データを記憶する色変換データ記憶手段を更に備え、
前記色変換データ取得手段は、前記色変換データ記憶手段に記憶された前記複数種類の色変換データから、前記映像信号を前記光源に適合した信号に変換するために使用するデータを選択して取得し、
前記色変換手段は、前記色変換データ記憶装置から取得した前記データを、前記色変換データとして用いて、色変換処理を行う、
ことを特徴とする、請求項１０に記載の電子内視鏡装置。
【請求項１２】
前記電子内視鏡用プロセッサは、
前記光源に適合する第２の色調整データを記憶する色調整データ記憶手段と、
前記色調整データ判定手段が、前記第１の色調整データが前記光源に適合していないと判定した場合に、前記色調整データ記憶手段に記憶された前記第２の色調整データを、前記第１の色調整データの代わりに使用されるデータとして、前記ビデオスコープへ送信する色調整データ送信手段と、
を更に備え、
前記ビデオスコープは、前記第１の色調整データを登録する色調整データ登録手段を備え、
前記ビデオスコープは、前記色調整データ送信手段から送信された前記第２の色調整データを前記色調整データ登録手段の前記第１の色調整データが登録されている領域に上書きして登録する、
ことを特徴とする、請求項１０又は１１のいずれか一項に記載の電子内視鏡装置。
【請求項１３】
前記電子内視鏡用プロセッサは、
前記光源に適合する第２の色調整データを記憶する色調整データ記憶手段と、
前記色調整データ判定手段が、前記第１の色調整データが前記光源に適合していないと判定した場合に、前記色調整データ記憶手段に記憶された前記第２の色調整データを、前記第１の色調整データの代わりに使用されるデータとして、前記ビデオスコープへ送信する色調整データ送信手段と
を更に備え、
前記ビデオスコープは、前記第１の色調整データを登録する色調整データ登録手段を備え、
前記ビデオスコープは、前記色調整データ送信手段から送信された前記第２の色調整データを、前記色調整データ登録手段の前記第１の色調整データが登録されていない領域に登録する、
ことを特徴とする、請求項１０又は１１のいずれか一項に記載の電子内視鏡装置。
【請求項１４】
前記電子内視鏡用プロセッサは、
前記ビデオスコープに前記第２の色調整データを登録する登録領域があるかを判定する登録領域判定手段を更に備え、
前記色調整データ判定手段が、前記第１の色調整データが前記光源と適合していないと判定し、かつ、前記登録領域判定手段が前記ビデオスコープに前記第２の色調整データを登録する登録領域があると判定した場合に、前記色調整データ送信手段が前記第２の色調整データを、前記登録領域に登録されるデータとして、前記ビデオスコープに送信する、
ことを特徴とする、請求項１２又は１３のいずれか一項に記載の電子内視鏡装置。
【請求項１５】
前記色調整データ送信手段は、前記色変換手段が前記映像信号に対する色変換処理を行った後に、前記第２の色調整データを前記ビデオスコープに送信することを特徴とする、請求項１２又は１３のいずれか一項に記載の電子内視鏡装置。
【請求項１６】
前記ビデオスコープが送信する前記映像信号は、輝度信号と少なくとも２つの色差信号を含む信号形式を有し、
前記色変換データは、前記映像信号を該映像信号と同じ信号形式を有する映像信号へ変換するためのマトリックスデータである、
ことを特徴とする、請求項１０から１５のいずれか一項に記載の電子内視鏡装置。
【請求項１７】
前記色変換データは、ＲＧＢ信号をＲＧＢ信号へ変換するためのマトリックスデータであることを特徴とする、請求項１０から１５のいずれか一項に記載の電子内視鏡装置。
【請求項１８】
前記色変換データは、３×３マトリックスデータであることを特徴とする、請求項１０から１７のいずれか一項に記載の電子内視鏡装置。
【請求項１９】
前記色変換データは、前記ビデオスコープから送信された前記映像信号を、標準光で照明された前記被写体を肉眼で観察したときに得られる色調をもつ映像信号へ変換するためのデータであることを特徴とする、請求項１０から１８のいずれか一項に記載の電子内視鏡装置。
【請求項２０】
前記ビデオスコープは、
前記照明光による照明下で形成される前記被写体像のカラー画像信号を生成する撮像素子と、
前記光源に適合する第２の色調整データを取得する色調整データ取得手段と、
前記色調整データ取得手段によって取得された前記第２の色調整データを登録する色調整データ登録手段と、を備える、
ことを特徴とする、請求項１０に記載の電子内視鏡装置。
【請求項２１】
前記色調整データ登録手段は複数種類の色調整データを書き換え可能に登録することを特徴とする、請求項２０に記載の電子内視鏡装置。
【請求項２２】
前記ビデオスコープは、
前記光源の種類を識別する光源識別手段と、
前記光源識別手段により識別された前記光源の種類に基づいて、前記色調整データ登録手段に登録された前記複数種類の色調整データから、前記光源に適合する前記色調整データを、前記第２の色調整データとして選択する色調整データ選択手段と、を更に備える、
ことを特徴とする、請求項２１に記載の電子内視鏡装置。
【請求項２３】
前記光源識別手段は、前記光源に関する情報を前記電子内視鏡用プロセッサから受け取り、該受け取った情報に基づいて前記光源の種類を識別することを特徴とする、請求項２２に記載の電子内視鏡装置。
【請求項２４】
前記ビデオスコープは、
前記照明光のスペクトル特性を測定するスペクトル測定手段を更に備え、
前記光源識別手段は、前記スペクトル測定手段によって測定された前記スペクトル特性に基づいて前記光源の種類を識別する、
ことを特徴とする、請求項２２に記載の電子内視鏡装置。
【請求項２５】
前記ビデオスコープは、前記色調整手段が、前記カラー画像信号を色調整処理するために使用している前記色調整データに関する情報を前記電子内視鏡用プロセッサへ送信する色調整データ情報送信手段を更に備えることを特徴とする、請求項２０から２４のいずれか一項に記載の電子内視鏡装置。
【請求項２６】
前記色調整データ取得手段は、前記色変換手段が前記映像信号に対する色変換処理を行った後に、前記第２の色調整データを取得することを特徴とする、請求項２０から２５のいずれか一項に記載の電子内視鏡装置。
【請求項２７】
前記ビデオスコープは、前記第２の色調整データが前記色調整データ登録手段に登録されている場合、前記色調整データの代わりに前記第２の色調整データを使用した色調整処理を行うことを特徴とする、請求項２６に記載の電子内視鏡装置。
【発明の詳細な説明】
【技術分野】
【０００１】
本発明は、複数種類のビデオスコープを交換して接続可能な電子内視鏡用プロセッサ、複数種類の電子内視鏡用プロセッサに接続可能なビデオスコープ、及び当該電子内視鏡用プロセッサを有する電子内視鏡装置に関連し、特に色調整処理手段を有するビデオスコープ及び当該ビデオスコープを接続可能な電子内視鏡用プロセッサに関する。
【背景技術】
【０００２】
従来より、体内にＣＣＤイメージセンサ等の固体撮像素子を挿入して体内の対象部位を観察する電子内視鏡装置が知られている。一般的な電子内視鏡装置は、体内に挿入するケーブル状のビデオスコープと、体内の観察部位を照明するための光をビデオスコープに供給すると共にビデオスコープが生成した画像信号に各種処理を施してビデオ信号を生成するプロセッサと、プロセッサが生成したビデオ信号に基づいて観察画像を映し出すモニタから構成される。プロセッサには、観察部位を照明するための光を発生する光源ランプが設けられており、光源ランプから放射された光はビデオスコープ内に設けられたライトガイド（光ファイバー束）によってスコープ先端へ伝達される。スコープ先端から射出された光が観察部位（被写体）に照射されると、その一部が反射してスコープ先端に設けられた撮像素子上で被写体像を形成し、被写体像に応じた画像信号が撮像素子から読み出される。
【０００３】
ビデオスコープは、観察する部位や被検者の身体の大きさ等に応じて様々な種類のものを使い分けられるように、プロセッサに対して着脱自在になっている。このため、１台のプロセッサで複数種類のビデオスコープを交換して使用できるだけでなく、１つのビデオスコープを機能・性能の異なる複数のプロセッサに接続して使用することもできる。
【０００４】
ところで、ビデオスコープの種類によって、レンズ、カラーフィルタ等の光学要素の設計（例えば、視野角、観察深度、吸収スペクトル等）は異なったものとなる。このため、同じプロセッサを使用しても、接続するビデオスコープの種類によってモニタに映し出される映像の見え方（明るさや色調）が異なってくる。また、使用する光源ランプの種類によっても、光源ランプの発光スペクトルの違いにより、得られる観察画像の色調等が変わってくる。例えば、内視鏡用の光源ランプとして最も多く使用されているキセノンランプは昼光色に近い白色光を放射し、ハロゲンランプは短波長成分が少ないため黄色味を帯びた色の光を放射する。このような光源ランプの発光スペクトルの違いにより、同じビデオスコープを使用して同じ被写体を撮像しても、撮像素子から読み出されるカラー画像信号の色成分は、使用する光源ランプの種類によって異なったものとなる。
【０００５】
特許文献１には、上記のような、使用するビデオスコープやプロセッサ（光源ランプ）の種類の違いによって生じる観察画像の色調の違いを補償して、高い色再現性を実現するための一つの解決手段が開示されている。特許文献１に記載されている電子内視鏡システムでは、ビデオスコープ内の記憶手段にビデオスコープの特性に関するデータや複数種類の光源ランプの各々に対応した色調整用データが予め記憶されており、これらのデータに基づいて、やはりビデオスコープ内に設けられた初期信号調整回路において、使用するビデオスコープと光源ランプに適した色調整処理が行われる。すなわち、特許文献１に記載の電子内視鏡システムにおいては、使用するビデオスコープや光源ランプの種類による色調の違いをビデオスコープ側で補償する構成により、使用するビデオスコープの種類を変えても、同じ色調の観察画像をモニタに表示させることができる。同様に、使用するプロセッサ（光源ランプ）の種類を変えても、同じ色調の観察画像をモニタに表示させることが可能になり、色再現性の向上が達成されている。
【特許文献１】特開２００２−３６９７９８号公報
【発明の開示】
【発明が解決しようとする課題】
【０００６】
ところで、近年は電子内視鏡の普及が進み、大学病院等の大規模医療施設のみならず、比較的に小規模な医療機関や後進国の医療機関においても電子内視鏡が広く使用されるようになってきている。そのため、その優れた演色性により従来の電子内視鏡装置の大半で採用されてきたキセノンランプに替えて、安価なハロゲンランプを搭載したプロセッサの需要が高まっている。しかしながら、既存のビデオスコープの大半は、キセノンランプに対応した色調整用データのみを有するキセノンランプ専用品であり、これをハロゲンランプが搭載されたプロセッサに接続してもキセノンランプの白色光で照射した場合に適した色調整処理が行われるため、黄色がかった観察画像が得られてしまう。色再現性の高い観察画像を得るためには、特許文献１に記載される構成のビデオスコープを新たに購入しなければならず、既存の医療資源を有効に活用できないという問題があった。
【０００７】
本発明は、上記の課題に鑑みてなされたものであり、プロセッサに搭載されたものとは異なる種類の光源ランプに対応した色調整処理を行うビデオスコープが接続された場合においても、適切な色調の観察画像をモニタに表示可能な電子内視鏡用プロセッサ及び該プロセッサに接続されるビデオスコープを提供することを目的とする。
【課題を解決するための手段】
【０００８】
本発明により、色調整データを使用した色調整処理を経て被写体像の映像信号を生成するビデオスコープと接続され、ビデオスコープから送信される生成された映像信号を受信する電子内視鏡用プロセッサが提供される。本発明の実施形態に係る電子内視鏡用プロセッサは、第１の色調整データを使用した色調整処理を経て被写体像の映像信号を生成するビデオスコープと接続され、ビデオスコープから送信される生成された映像信号を受信する電子内視鏡用プロセッサである。この電子内視鏡用プロセッサは、被写体を照明するための照明光を放射する光源と、ビデオスコープにより使用されている第１の色調整データが光源に適合しているか否かを判定する色調整データ判定手段と、色調整データ判定手段が、第１の色調整データが光源に適合していないと判定した場合に、映像信号を前記光源に適合した信号に変換するために使用する色変換データを取得する色変換データ取得手段と、色変換データ取得手段により取得された色変換データを使用して、ビデオスコープによって送信された映像信号に対する色変換処理を行う色変換手段と、を備えている。この構成により、電子内視鏡用プロセッサに内蔵された光源ランプに適合する色調整データをビデオスコープが保持しておらず、ビデオスコープ側で不適切な色調整が行なわれてしまうような場合であっても、電子内視鏡用プロセッサ内で映像信号に対して色変換処理を行うことにより、適切な色調の映像をモニタに表示させる映像信号を得ることができる。
【０００９】
また、本発明の実施形態に係る電子内視鏡用プロセッサは、複数種類の色変換データを記憶する色変換データ記憶手段を更に備えていることが望ましい。色変換データ取得手段は、色変換データ記憶手段に記憶された複数種類の色変換データから、映像信号を光源に適合した信号に変換するために使用するデータを選択して取得し、色変換手段は、色変換データ記憶装置から取得したデータを、色変換データとして用いて、色変換処理を行う。この構成により、多種多様なビデオスコープに対応する色変換データを保持することができ、汎用性の高い電子内視鏡用プロセッサが実現される。
【００１０】
また、本発明の実施形態に係る電子内視鏡用プロセッサは、光源に適合する第２の色調整データを記憶する色調整データ記憶手段と、光源と第１の色調整データが適合していない場合に色調整データ記憶手段に記憶された第２の色調整データを、第１の色調整データの代わりに使用されるデータとして、ビデオスコープに送信する色調整データ送信手段とを更に備えていてもよい。この構成により、電子内視鏡用プロセッサで使用される光源ランプに適合する色調整データを保持していないビデオスコープに対して、適切な色調整データを提供することが可能になる。
【００１１】
また、色変換データは、輝度信号と２つ以上の色差信号から構成される映像信号を同じ形式の映像信号に変換するマトリックスデータであってもよく、あるいは、ＲＧＢ信号をＲＧＢ信号に変換するマトリックスデータであってもよい。一般的に使用されている映像信号フォーマットに対しては、色変換データは３×３マトリックスデータであることが好ましい。
【００１２】
本発明により、電子内視鏡用プロセッサ及び電子内視鏡用プロセッサと接続されたビデオスコープを備えた電子内視鏡装置が提供される。本発明の実施形態に係る電子内視鏡装置用ビデオスコープは、照明光による照明下で形成される被写体像のカラー画像信号を生成する撮像素子と、色調整データを取得する色調整データ取得手段と、色調整データ取得手段によって取得された色調整データを登録する色調整データ登録手段とを備えている。また、色調整データ登録手段は複数種類の色調整データを書き換え可能に登録することが好ましい。
【００１３】
上記構成のビデオスコープによれば、接続した電子内視鏡用プロセッサにおいて使用される光源に適合する色調整データを電子内視鏡用プロセッサから取得して、内蔵する色調整データ登録手段に登録させることができる。これにより、接続した電子内視鏡用プロセッサで使用される光源に適合する色調整データをビデオスコープが予め保持していなくても、電子内視鏡用プロセッサから適切な色調整データの供給を受けて、それを登録することができる。そのため、以降に同電子内視鏡用プロセッサ又は同電子内視鏡用プロセッサと同種の光源が使用される電子内視鏡用プロセッサに接続したときに、適切な色調整処理を行うことが可能になる。
【００１４】
また、光源の種類を識別する光源識別手段と、光源識別手段により識別された光源の種類に基づいて、色調整データ登録手段に登録された複数種類の色調整データから光源に適合する色調整データを選択する色調整データ選択手段とを更に備えていてもよい。
【００１５】
このような構成によれば、電子内視鏡用プロセッサで使用される光源に適合する色調整データを選択して使用することが可能となり、以降にビデオスコープ側で適切な色調整を自動的に行なうことが可能になる。
【００１６】
また、上記ビデオスコープは、照明光のスペクトル特性を測定するスペクトル測定手段を更に備えていてもよい。光源識別手段は、スペクトル測定手段によって測定されたスペクトル特性に基づいて光源の種類を識別するよう構成されていてもよい。このような構成によれば、電子内視鏡用プロセッサとの通信によって光源ランプの特性に関する情報を取得する必要が無く、電子内視鏡用プロセッサ側に特別な構成を設けなくても、使用される光源ランプに適合する色調整データを選択して使用することが可能になり、より利便性の優れた電子内視鏡装置が実現される。
【００１７】
更に、上記ビデオスコープは、色調整手段が、カラー画像信号を色調整処理するために使用しているデータに関する情報を前記電子内視鏡用プロセッサへ送信する色調整データ情報送信手段を更に備えていてもよい。この構成により、ビデオスコープにおいて行なわれる色調整処理が適切か否かを電子内視鏡用プロセッサが判断することが可能になる。また、色調整処理が不適切である場合に、電子内視鏡用プロセッサがビデオスコープから受け取った色調整データに関する情報に基づいて、ビデオスコープから送られる映像信号を適切な色調に直す色変換処理を適切に行うことが可能になる。また、通知に基づいてビデオスコープが使用される光源ランプに適合する色調整データを保持しているか否かを判定することができるため、通知に基づいて適切な色調整データを保持していないと判定された場合に、電子内視鏡用プロセッサがビデオスコープに適切な色調整データを送るような構成も可能になる。
また、本発明により、上記のビデオスコープと電子内視鏡用プロセッサを備えた電子内視鏡装置が提供される。
【発明の効果】
【００１８】
本発明に係る電子内視鏡用プロセッサは、色変換手段を有することにより、ビデオスコープにおいて撮像素子から読み取られた映像信号に対してプロセッサに内蔵された光源とは異なる種類の光源に適合した色調整処理が施されて、ビデオスコープから送られる映像信号が不適切な色調を有するものとなっている場合であっても、映像信号を本来の適切な色調のものに変換することができるという利点がある。
【発明を実施するための最良の形態】
【００１９】
（第１実施形態）
以下、図面を参照しながら、本発明の第１の実施形態である電子内視鏡装置について説明する。
【００２０】
図１は、本実施形態である電子内視鏡装置１のブロック図である。電子内視鏡装置１は、胃などの臓器について検査、手術などを行うための装置である。
【００２１】
電子内視鏡装置１は、撮像素子であるＣＣＤ５４を先端部に有するビデオスコープ５０、ビデオスコープ５０から受け取った映像信号を処理するプロセッサ１０、被写体像を表示するモニタ３２、術者が電子内視鏡装置１に被検者名等の情報を入力するためのキーボード３４を備えている。ビデオスコープ５０、モニタ３２及びキーボード３４は、それぞれプロセッサ１０に着脱自在に接続されている。電子内視鏡装置１を使用して検査等を行う際には、観察部位を撮影するためにビデオスコープ５０が被検者の体内に挿入される。
【００２２】
プロセッサ１０は、各種操作ボタンやインジケータ及びこれらの動作を制御する回路基板が配されたフロントパネル１１、プロセッサ１０全体を統括制御するシステムコントロール回路１２、ビデオスコープ５０に供給する照明光を発生するランプ１３、ランプ１３に駆動電力を供給するランプ電源１４、ランプ１３から放射された光を収束してビデオスコープ１０の光ファイバー束５１に高効率で照明光を結合させる集光レンズ１５、光ファイバー束５１に結合する光の入射角を規制することで観察部位に照射する光量を調節する可変絞り１６、ビデオスコープ５０から受け取った輝度信号及びシステムコントロール回路１２の制御に基づいて可変絞り１６の制御信号を生成する調光回路１７、クロックパルスを発生してシステムコントロール回路１２等に供給するタイミングコントロール回路１８、及びビデオスコープ５０から受信した映像信号に対して所定の処理を施すプロセッサ信号回路１９を備えている。
【００２３】
また、システムコントロール回路１２は、制御処理を担うＣＰＵ１２２、プロセッサ１０の制御に必要な各種プログラム及びデータを格納するＲＯＭ１２４、ＣＰＵ１２２が実行中の処理に使用するデータを一時的に格納するＲＡＭ１２６、及び後述する色変換に関するデータが予め記憶されたＥＥＰＲＯＭ１２８を有している。可変絞り１６は、絞りを駆動するモータ１６Ａと、調光回路１７からの制御信号に従ってモータ１６Ａの駆動電流を発生するモータドライバ１６Ｂとを有しており、調光回路１７からの制御信号に基づいて開口が制御されるようになっている。また、ランプ電源１４には、システムコントロール回路１２からの制御信号に基づいてランプに供給する電流を制御するランプ制御部１４Ａが含まれている。
【００２４】
ビデオスコープ５０は、内視鏡観察時に観察部位の近傍に配置されるビデオスコープ５０の先端部までプロセッサ１０から供給された光を伝達する光ファイバー束５１と、光ファイバー束５１の出射端５１Ｂの直後に設けられた拡散レンズである配光レンズ５２、観察部位で反射された光を収束させてビデオスコープ５０の先端に設けられた撮像素子の受光面に被写体像を結像させる対物レンズ５３、受光面に結像された被写体像に基づいて画像信号を生成する撮像素子であるＣＣＤ５４、ＣＣＤ５４で生成された画像信号に所定の処理を施す初期信号処理回路５５、ビデオスコープ５０の特性（画素数など）とともに後述する色調整に関するデータが予め記憶されたＥＥＰＲＯＭ５７、そしてビデオスコープ５０全体を統括制御するスコープ制御部５６を備えている。
【００２５】
なお、本実施形態に係る電子内視鏡装置１においては、プロセッサ１０に内蔵される光源ランプ１３としてハロゲンランプが採用されている。また、ビデオスコープ５０は既存のキセノンランプ専用仕様のものである。
【００２６】
術者がフロントパネル１１に設けられたランプ点灯スイッチ（図示せず）をＯＮにすると、システムコントロール回路１２の制御によってランプ電源１４Ａから駆動電流が供給され、ランプ１３が点灯する。点灯したランプ１３から放射された光は、集光レンズ１５を介してビデオスコープ５０内に設けられた光ファイバー束５１の入射端５１Ａに入射し、光ファイバー束５１を通って出射端５１Ｂから射出する。そして、出射端５１Ｂから射出した光によって観察部位Ｓが照明される。観察部位Ｓを照射した光の一部は、観察部位Ｓで反射されて、ビデオスコープ５０の先端部に戻る。
【００２７】
観察部位Ｓに照射された光の一部は、反射してビデオスコープ５０の先端部に戻り、対物レンズ５３を通ってＣＣＤ５４の受光面に到達する。これにより被写体像がＣＣＤ５４の受光面に形成される。本実施形態では、カラー撮像方式として単板同時式が適用されており、ＣＣＤ５４の受光面上にはイエロー（Ｙｅ）、シアン（Ｃｙ）、マゼンタ（Ｍｇ）、グリーン（Ｇ）の各色要素が市松状に並べられた補色カラーフィルタ（図示せず）が受光面の各画素に対応して配置されている。そして、ＣＣＤ５４では、補色カラーフィルタを透過した光の強度に応じた被写体像の画像信号が光電変換により発生し、所定時間間隔ごとに１フレームもしくは１フィールド分の画像信号が、色差線順次方式によって順次読み出される。本実施形態では、インターライン・トランスファ方式のＣＣＤが使用されており、ＮＴＳＣ方式の垂直同期周波数に対応して１／３０秒（１／６０秒）間隔ごとに１フレーム（１フィールド）分の画像信号が順次読み出され、初期信号処理回路５５へ送られる。
【００２８】
初期信号処理回路５５では、後述するように、ＣＣＤ５４によって生成されたカラー画像信号に対して色調整処理を含む様々な処理が施され、輝度信号および色差信号を含む映像信号が生成される。また、初期信号処理回路５５には、ＣＣＤ５４を駆動するためのＣＣＤドライバ（図示せず）が含まれており、ＣＣＤドライバからＣＣＤ５４へ駆動信号が出力される。初期信号処理回路５５により生成された映像信号は、プロセッサ信号処理回路１９へ送られるとともに、輝度信号は調光回路１７へ送られる。また、調光回路１７へ順次送られる１フレーム分（１フィールド分）の輝度信号に合わせて、所定のタイミングの同期信号等が初期信号処理回路５５から調光回路１７へ送られる。
【００２９】
プロセッサ信号処理回路１９では、初期信号処理回路５５から送られてくる映像信号に対して後述する色変換処理を含む所定の処理が施される。処理された映像信号は、ＮＴＳＣコンポジット信号、Ｙ／Ｃ分離信号（いわゆるＳビデオ信号）、ＲＧＢ分離信号などのビデオ信号としてモニタ３２へ出力され、これにより被写体像がモニタ３２に映し出される。
【００３０】
システムコントロール回路１２内のＣＰＵ１２２は、プロセッサ１０全体を統括的に制御し、調光回路１７、ランプ制御部１４Ａ、プロセッサ信号処理回路１９などの各回路に制御信号を出力する。タイミングコントロール回路１８からは、信号処理のタイミングを調整するクロックパルスがプロセッサ１０内の各回路に出力され、また、ビデオ信号に付随される同期信号がプロセッサ信号処理回路１９に送られる。また、システムコントロール回路１２内のＲＯＭ１２４にはプロセッサ１０を制御するための各種プログラムと共にランプ１３の特性に関するデータが、ＥＥＰＲＯＭ１２８には後述する色変換に関するデータが、それぞれ予め記憶されている。
【００３１】
ライトガイド５１の入射端５１Ａと集光レンズ１５との間に配設された絞り１６は、上記の通りモータ１６Ａの駆動によって開閉する。本実施形態では、ＤＳＰ（Digital Signal Processor）である調光回路１７によって絞り１６を通過する光、すなわち被写体Ｓへ照射される光の光量調整の制御が行われる。初期信号処理回路５５から出力される輝度信号（ｓｙｎｃ）は、Ａ／Ｄ変換器（図示せず）によってデジタルの輝度信号に変換された後、調光回路１７へ入力される。この輝度信号に基づいて調光回路１７からモータドライバ１６Ｂへ制御信号が送られ、モータドライバ１６Ｂから供給される駆動電流によってモータ１６Ａが駆動される。これにより、絞り１６が所定の開度まで開く。
【００３２】
ビデオスコープ５０内のスコープ制御部５６は、初期信号処理回路５５を制御するとともに、ＥＥＰＲＯＭ５７からデータを読みだす。ビデオスコープ５０がプロセッサ１０に接続されると、スコープ制御部５６とシステムコントロール回路１２との間でデータが送受信され、スコープの型式や特性に関するデータがスコープ制御部５６からシステムコントロール回路１２へ送られるとともに、ランプ特性に関するデータ（ランプの種類や型番等を含む）がシステムコントロール回路１２からスコープ制御部５６へ送られる。
【００３３】
フロントパネル１１には、自動調光において基準となる参照輝度値の設定をするための設定スイッチ（図示せず）が設けらており、オペレータが設定スイッチを操作することによって設定された値に応じた信号がシステムコントロール回路１２へ送られる。この参照輝度値のデータは、ＲＡＭ１２６に一時的に格納されるとともに、必要に応じてシステムコントロール回路１２から調光回路１７へ送られる。また、キーボード３４において患者情報などの文字情報をモニタ３２に表示するためキー操作がなされると、キーボード３４の操作に応じた信号がシステムコントロール回路１２へ入力され、その信号に基づいて、プロセッサ信号処理回路１９においてキャラクタ信号が映像信号にスーパーインポーズされる。
【００３４】
図２は、図１の初期信号処理回路５５を詳細に示した図であり、図３は、ＥＥＰＲＯＭ５７にあらかじめ記憶されている色調整に関するデータ表を示す図である。本実施形態において、ビデオスコープ５０はキセノンランプ専用スコープであるため、キセノンランプを光源に使用して撮影した場合に適した色調整を行うための色調整データ（ＫＤ）のみがＥＥＰＲＯＭ５７のアドレスＥ０００ｈ〜Ｅ００Ｂｈに記憶されている。
【００３５】
補色市松色差線順次方式のＣＣＤ５４から読み出された画像信号は、初期信号処理回路５５内のプロセス回路（図示せず）において増幅処理などが施され、信号分離処理回路６０に送られる。信号分離処理回路６０では、所定のラインごとに読み出された画像信号が輝度信号Ｙａと色差信号（ＣＲ，ＣＢ）に分離される。なお、ここで分離される各色差信号（ＣＲ，ＣＢ）は、原色信号（Ｒ，Ｇ，Ｂ）に対して、ＣＲ≒２Ｒ−Ｇ、ＣＢ≒２Ｂ−Ｇの近似関係を有する。分離された画像信号は、ＲＧＢマトリックス回路６２へ送られる。
【００３６】
ＲＧＢマトリックス回路６２では、補色市松色差線順次方式のＣＣＤ５４が生成した映像信号から分離された輝度信号Ｙａと色差信号（ＣＲ，ＣＢ）に基いて、赤色（Ｒ），緑色（Ｇ），青色（Ｂ）の原色信号が以下の式により求められる。
Ｒ＝ＣＲ＋α・（Ｙａ−ＣＢ）   ・・・（１）
Ｂ＝ＣＢ＋β・（Ｙａ−ＣＲ）   ・・・（２）
Ｇ＝Ｙａ−ＣＲ−ＣＢ           ・・・（３）
ただし、α、βの値は、それぞれＥＥＰＲＯＭ５７から色調整に関するデータ（色調整データ）を読み出したコープ制御部５６から送られてくるデータ信号“ＲＭＴＸ”、“ＢＭＴＸ”の値である。上記式（１）〜（３）に基づいて生成されたＲ，Ｇ，Ｂの原色信号はホワイトバランス回路６４へ送られる。
【００３７】
ホワイトバランス回路６４では、原色信号のうちＲ，Ｂの信号に対してゲインコントロールが施される。電子内視鏡装置の初期設定段階では、Ｒ，Ｂのゲイン値は、スコープ制御部５６からそれぞれ送られてくる初期ゲインデータ信号“ＲＧＡＩＮ”、“ＢＧＡＩＮ”によって定められる。この“ＲＧＡＩＮ”と“ＢＧＡＩＮ”も、ＥＥＰＲＯＭ５７から読み出された色調整データに含まれるデータである。これらの値はビデオスコープ５０が適合するランプの種類に応じて異なる。本実施形態においては、ビデオスコープ５０はキセノンランプに適合されており、キセノンランプを使用して撮影された映像信号に対するゲインコントロールに適したゲイン値が設定されることになる。一方、観察時においては、同様にスコープ制御部５６から送られてくるゲインデータ信号“ＲＣＯＮＴ”、“ＢＣＯＮＴ”の値に基いてゲインコントロールが施される。さらに、ホワイトバランス回路６４では、色信号Ｃに対してもゲインコントロールが施される。このときのゲイン値は、スコープ制御部５６から送られてくるゲインデータ信号“ＣＬＥＶＥＬ”の値となる。ホワイトバランス調整等がされた原色信号は、ガンマ補正回路６６へ送られる。
【００３８】
ガンマ補正回路６６では、ガンマ補正が施される。このときのガンマ特性曲線は、スコープ制御部５６から送られてくるガンマ特性データ信号“Ｃ−γＣＯＮＴ”の値に従う。ガンマ補正された信号は、カラーマトリックス回路６８へ送られる。カラーマトリックス回路６８では、Ｒ，Ｇ，Ｂの原色信号に基いて、輝度信号Ｙ、色差信号Ｃｂ（＝Ｂ−Ｙ）、Ｃｒ（＝Ｒ−Ｙ）が映像信号として生成される。色差信号Ｃｂ、Ｃｒに対しては、スコープ制御部５６からそれぞれ送られてくる位相コントロールデータ信号“ＣｂＨＵＥ”、“ＣｒＨＵＥ”に基いて、色相に関する位相の調整が施される。また、スコープ制御部５６からそれぞれ送られてくる出力レベル調整データ信号“ＣｂＧＡＩＮ”、“ＣｒＧＡＩＮ”に基いて、出力される色差信号Ｃｂ、Ｃｒの出力レベルが調整される。輝度信号Ｙ、色差信号Ｃｂ、Ｃｒは、それぞれプロセッサ１０へ送られる。
【００３９】
スコープ制御部５６から初期信号処理回路５５へ送られるデータ信号は、ＥＥＰＲＯＭ５７にあらかじめデータとして記憶されている色調整に関するデータに従っており、色調整データはＥＥＰＲＯＭ５７の所定のアドレスに格納されている（図３参照）。これらの各色調整処理に関するデータ信号は、適合するランプの種類毎にそのランプ特性に対応した固有の値をもつ。例えば、キセノンランプ用の色調整データＫＤのデータ信号“ＲＧＡＩＮ”、“ＢＧＡＩＮ”は、キセノンランプの光が白色光に近いことからほぼ同じゲイン値となるのに対して、ハロゲンランプ用の色調整データＨＤの初期ゲインデータ信号“ＲＧＡＩＮ”、“ＢＧＡＩＮ”は、ハロゲンランプの光が黄色光に近いことから、“ＲＧＡＩＮ”の値が“ＢＧＡＩＮ”の値に比べて小さい。
【００４０】
本実施形態のビデオスコープ５０では、キセノンランプの色調整に関するデータのみが用意され、キセノンランプ用の色調整データＫＤとして格納されている。そのため、プロセッサ１０で使用されるランプが別の種類のランプ（例えば、本実施形態においてはハロゲンランプ）であっても、キセノンランプ用の色調整データＫＤがＥＥＰＲＯＭ５７から読み出され、キセノンランプを光源に使用した場合の色調整に適したデータ信号“ＲＧＡＩＮ”、“ＣｂＨＵＥ”等がスコープ制御部５６から初期信号処理回路５５へ送られる。従って、本実施形態においては、実際に使用されるランプ１３の種類と、色調整で使用される色調整データが適合するランプの種類とが整合しないため、初期信号処理回路５５において行われる色調整は不適切なものとなり、観察対象に標準光を照射した場合とは異なる色調の画像が得られることになる。なお、スコープ制御部５６から出力されるデータ信号は、Ｄ／Ａ変換器（図示せず）においてアナログ信号に変換された後、初期信号処理回路５５へ送られる。
【００４１】
本実施形態では、ビデオスコープ５０がキセノンランプ専用仕様であるため、ＥＥＰＲＯＭ５７にはキセノンランプ用の色調整データＫＤのみが記憶されているが、ビデオスコープ５０に記憶される色調整データはビデオスコープ５０が適合するランプの種類によって異なったものとなる。例えば、メタルハライドランプ用のビデオスコープにはメタルハライドランプ用の色調整データＭＤが、ハロゲンランプ用のビデオスコープにはハロゲンランプ用の色調整データＨＤがＥＥＰＲＯＭ５７に記憶される。また、複数種類のランプに適合する仕様の場合には、ＥＥＰＲＯＭ５７には予め複数セットの色調整データが記憶され、プロセッサ１０のシステムコントロール回路１２からスコープ制御部５６へ送られるランプ特性に関するデータに応じて、予め記憶されている複数セットの色調整データのうち使用するランプ１３の種類に適合した色調整データがＥＥＰＲＯＭ５７からスコープ制御部５６によって読み出されて色調整に使用される。
【００４２】
次に図４から図６を参照して、プロセッサ１０において行なわれる色変換処理について説明する。上述したように、本実施形態においては、プロセッサ１０に搭載されたランプの種類（ハロゲンランプ）と、ビデオスコープ５０の初期信号処理回路５５によって行なわれる色調整処理で使用される色調整データが適合するランプの種類（キセノンランプ）とが一致していない。このため、不適切な色変換が行なわれることになるため、初期信号処理回路５５から出力される映像信号の色調は標準光によって観察部位を照らした場合の実際の色調とは異なったものになる。本実施形態における色変換処理は、このように、使用するランプとは異なる種類のランプに対応した色調整データに基づいて色変換処理が行われた映像信号について色調を再調整（色変換）することにより、標準光で観察部位を照射した場合に観察される色調と同じ色調の映像信号を取得する処理である。
【００４３】
図４は、プロセッサ信号回路１９の詳細を示した図である。プロセッサ信号回路１９は、色変換回路１９２及びビデオ信号生成回路１９４を含んでいる。色変換回路１９２は、プロセッサ１０に接続されたビデオスコープ５０がプロセッサ１０に搭載されたランプ種に適合していない場合（すなわち、初期信号処理回路５５が別の種類のランプに適合した色調整データを用いて色調整処理を行う場合）に、初期信号処理回路５５から送られる映像信号を本来の色調となるように色変換を行なう回路である。また、ビデオ信号生成回路１９４は、色変換回路１９２によって適切な色調に補正された映像信号に、タイミングコントロール回路から供給される同期信号を加えて、モニタ３２へ出力するためのＮＴＳＣコンポジット信号、Ｙ／Ｃ分離信号、ＲＧＢ分離信号などのビデオ信号を生成する回路である。
【００４４】
ビデオスコープ５０の初期信号処理回路５５から送られる映像信号（輝度信号Ｙ及び色差信号Ｂ−Ｙ，Ｒ−Ｙ）は、色変換回路１９２に入力される。また、システムコントロール回路１２からは、色変換処理において使用するデータ信号“ＣＯＮＶ”が色変換回路１９２に送られる。データ信号“ＣＯＮＶ”は、初期信号処理回路５５から入力される映像信号（輝度信号Ｙ及び色差信号Ｂ−Ｙ、Ｒ−Ｙ）に基づいて、適切な色調の映像信号（輝度信号Ｙ’及び色差信号Ｂ’−Ｙ’、Ｒ’−Ｙ’）を生成するための３元マトリックス（３×３マトリックス）のデータである。
【００４５】
システムコントロール回路１２に含まれるＥＥＰＲＯＭ１２８には、ビデオスコープ５０の初期信号処理回路５５によって施される色調整処理（具体的には、色調整処理において使用される色調整データが適合する光源ランプの種類）に対応した複数種類の色変換データ“ＣＯＮＶ”が予め記憶されている。図５は、ＥＥＰＲＯＭ１２８に予め記憶されている色変換に関するデータ表を表す図である。図５において、略号“ＨＤ／ＫＤ”で示されるデータ群は、ハロゲンランプを使用して撮影された画像信号に対してキセノンランプに適合した色調整処理が行われた場合に行う色変換処理に適用されるデータ群である。各データ“ＣＯＮＶ  ｎｍ（ＣＯＮＶ１１〜３３）”は３×３マトリックスの各要素を示す。また、略号“ＨＤ／ＭＤ”で示されるデータ群は、ハロゲンランプを使用して撮影された画像信号に対してメタルハライドランプに適合した色調整処理が行われた場合に行う色変換処理に適用されるデータ群である。システムコントロール回路１２は、実際に使用するランプに適合した色調整処理がビデオスコープ５０の初期信号処理回路５５で行なわれていない場合に、初期信号処理回路５５で行なわれる色調整処理に対応した色変換データ“ＣＯＮＶ”をＥＥＰＲＯＭ１２８から読み出して、色変換回路１９２に送る。
【００４６】
色変換回路１９２は、システムコントロール回路１２から供給された色変換データ“ＣＯＮＶ”に基づいて、ビデオスコープ５０の初期信号処理回路５５から受信した映像信号（Ｙ、Ｂ−Ｙ、Ｒ−Ｙ）を変換して、適切な色調に補正された補正映像信号（Ｙ’、Ｂ’−Ｙ’、Ｒ’−Ｙ’）をビデオ信号生成回路１９４に出力し、モニタに適切な色調の、すなわち標準光によって観察部位を照明して肉眼で直接観察した際と同じ色あいの観察画像が写し出される。なお、本実施形態の内視鏡装置においては、標準光として色温度６７７４Ｋの平均昼光が用いられている。また、標準光はこの色温度の光に限定されるものではなく、表示される被写体の映像の色調を定める基準の相対分光分布として任意に設定することができる。なお、ここで使用する用語「標準光」は、日本工業規格JIS-Z-8701あるいは国際照明委員会（ＣＩＥ）等によって定められた何れの標準の光であってもよく、またこれらに限定されるものでもない。
【００４７】
次に、図６のフローチャートを参照して、プロセッサ１０において実行される色変換処理の詳細を説明する。図６は、プロセッサ１０において行なわれる色変換に関する処理を説明するフローチャートである。なお、以下のフローチャートの説明及び各フローチャートにおいて、「ステップ」を「Ｓ」と略記する。
【００４８】
まず、Ｓ１０１において、プロセッサ１０のシステムコントロール回路１２は、プロセッサ１０にビデオスコープが接続されているかどうかを検知する。具体的には、ビデオスコープ接続部に設けられた図示しないビデオスコープ検出手段からシステムコントロール回路１２に送信される検出信号を参照することで、ビデオスコープが接続されているか否かが検知される。Ｓ１０１において、ビデオスコープ５０が接続されたことが検知されない場合には（Ｓ１０１：ＮＯ）、ビデオスコープ５０の接続が検知されるまでビデオスコープ５０の接続を監視する。ビデオスコープ５０が接続されたことが検知されると（Ｓ１０１：ＹＥＳ）、システムコントロール回路１２は、ビデオスコープ制御部５６との通信を行い、ビデオスコープ５０に関する情報を取得する。取得されるビデオスコープに関する情報には、ビデオスコープ５０の型式やビデオスコープ５０が使用する色調整データに関する情報（例えば、色調整データの識別番号や、色調整データが適合するランプの種別等）が含まれている。システムコントロール回路１２は、これらの情報に基づいて、ビデオスコープ５０で使用される色調整データを認識する（Ｓ１０２）。
【００４９】
このとき、ビデオスコープ５０が複数の色調整データを保有可能な仕様の場合には、スコープ制御部５６からランプ特性に関する情報が要求され、これに応じて、プロセッサ１０が使用するランプの種類等の情報がシステムコントロール回路１２からスコープ制御部５６へ送られる。そして、スコープ制御部５６は、保有している色調整データのうち、使用される光源に適合した色調整データを色調整処理に使用するデータとして選択して、選択した色調整データに関する情報をシステムコントロール回路１２へ送信する。これによって、システムコントロール回路１２は、ビデオスコープ５０が保有する複数の色調整データのうち使用される色調整データを認識することができる。
【００５０】
次に、Ｓ１０２によって認識されたビデオスコープ５０で使用される色調整データが、プロセッサが使用するハロゲンランプ用であるか否かが判定される（Ｓ１０３）。使用される色調整データがハロゲンランプ用であれば（Ｓ１０３：ＹＥＳ）、システムコントロール回路１２は、ビデオスコープから受け取った映像信号に対して色変換処理を行わずにそのままビデオ信号生成回路１９４へ渡すように色変換回路１９２を制御する（Ｓ１０４）。また、使用される色調整データがハロゲンランプと異なる種類のランプに適合したものであれば（Ｓ１０３：ＮＯ）、システムコントロール回路１２は、ＥＥＰＲＯＭ１２８に予め記憶されている各種の色変換データからビデオスコープ５０で使用される色調整データに対応した色変換データを選択する（Ｓ１０５）。本実施形態においては、光源としてハロゲンランプが使用され、ビデオスコープ５０においてキセノンランプに適合した色調整データが使用されるため、この条件に適合した色変換データ“ＨＤ／ＫＤ”が選択される。そして、システムコントロール回路１２は、選択した色変換データを色変換回路１９２に渡し、選択した色変換データを使用してビデオスコープから受け取った映像信号に対して色変換処理を行うように色変換回路１９２を制御する（Ｓ１０６）。次に、ビデオスコープ５０が取り外されたか否か（Ｓ１０７）、システムが終了されたか否かが監視される（Ｓ１０８）。ビデオスコープ５０の取り外しは、前述したビデオスコープ検出手段からシステムコントロール回路１２に送信される検出信号を参照することで検知される。ビデオスコープ５０の取り外しが検知されると（Ｓ１０７：ＹＥＳ）、Ｓ１０１へ戻ってビデオスコープの再接続が監視される（Ｓ１０１）。また、システムが終了する場合には本処理も終了する（Ｓ１０８：ＹＥＳ）
【００５１】
このように、本実施形態によれば、ビデオスコープ５０が接続される際に、プロセッサ１０がビデオスコープ５０で使用される色調整データを認識し、保有する色変換データの中から使用される色調整データに適合する色変換データを選択し、選択された色変換データを使用してビデオスコープ５０で撮影された映像信号に対して色変換を行う。これにより、ビデオスコープ５０によって行われる色調整処理が使用される光源に適合したものでなくても、常に標準光を用いて直接観察した場合と同じ色合いの映像がモニタ３２に表示されることになり、色再現性が向上する。また、プロセッサ１０側でビデオスコープ５０の仕様や処理に応じた色変換処理を行う構成とすることにより、既存のビデオスコープ５０を有効に活用することができる。
【００５２】
（第２実施形態）
次に、本発明の第２実施形態について説明する。第２実施形態における装置構成は第１実施形態のものと略同一であるが、ビデオスコープ５０内のＥＥＰＲＯＭ５７及びプロセッサ１０のシステムコントロール回路１２内のＥＥＰＲＯＭ１２８に確保されるデータ領域や、そこに記憶されるデータが第１実施形態とは異なる。
【００５３】
図７は、第２実施形態におけるビデオスコープ５０のＥＥＰＲＯＭ５７内に割り当てられた色調整データ用記憶領域と、初期状態において当該領域に記憶されているデータを示す図である。第１実施形態（図３）と同様に、ＥＥＰＲＯＭ５７のアドレスＥ０００ｈ〜Ｅ００Ｂｈにキセノンランプ用色調整データ“ＫＤ”が格納されている。第２実施形態においては、色調整データを記憶するためのデータ領域が更に２セット分（Ｅ１００ｈ〜Ｅ１０Ｂｈ、Ｅ２００ｈ〜Ｅ２０Ｂｈ）確保されており、最大で３セットの色調整データを記憶することが可能になっている。図３に示される状態においては、データ領域Ｅ１００ｈ〜Ｅ１０Ｂｈ、Ｅ２００ｈ〜Ｅ２０Ｂｈには未だ色調整データ用が書き込まれていない。
【００５４】
第２実施形態においては、プロセッサ１０に搭載されている光源ランプに適合した色調整データをプロセッサ１０自体が保持しており、ビデオスコープ５０がプロセッサ１０に搭載された光源ランプに適合する色調整データを保持していない場合に、プロセッサ１０からビデオスコープ５０へ色調整データが供給される。本実施形態においては、システムコントロール回路１２のＥＥＰＲＯＭ１２８内に確保された色調整データを記憶するための領域（図示せず）に、プロセッサ１０に搭載された光源ランプに適合した色調整データが予め確保されている。
【００５５】
次に、図８のフローチャートを参照しながら、第２実施形態のプロセッサ１０において実行される色変換処理及び色調整データ供給処理について説明する。まず、Ｓ２０１において、プロセッサ１０のシステムコントロール回路１２は、プロセッサ１０へのビデオスコープの接続が検知されるまで定期的にビデオスコープが接続されているか否かを確認する。この処理は第１実施形態におけるＳ１０１の処理と同じものである。ビデオスコープ５０が接続されたことが検知されると（Ｓ２０１：ＹＥＳ）、システムコントロール回路１２は、ビデオスコープ制御部５６との通信を行い、スコープ制御部５６からの要求に応じて、プロセッサ１０に搭載されているランプ特性に関する情報をスコープ制御部５６に送信する（Ｓ２０２）。
【００５６】
次に、スコープ制御部５６へビデオスコープ５０に関する情報を要求して取得する（Ｓ２０３）。取得されるビデオスコープに関する情報には、ビデオスコープ５０の型式やビデオスコープ５０が使用する色調整データに関する情報（例えば、色調整データの識別番号や、色調整データが適合するランプの種別等）が含まれている。システムコントロール回路１２は、これらの情報に基づいて、ビデオスコープ５０で使用される色調整データを認識する（Ｓ２０４）。
【００５７】
次に、Ｓ２０４によって認識されたビデオスコープ５０で使用される色調整データが、プロセッサ１０が使用するハロゲンランプ用であるか否かが判定される（Ｓ２０５）。使用される色調整データがハロゲンランプ用であれば（Ｓ２０５：ＹＥＳ）、システムコントロール回路１２は、ビデオスコープから受け取った映像信号に対して色変換処理を行わずにそのままビデオ信号生成回路１９４へ映像信号を渡すように色変換回路１９２を制御する（Ｓ２０６）。また、使用される色調整データがハロゲンランプ用のものでなければ（Ｓ２０５：ＮＯ）、システムコントロール回路１２は、ＥＥＰＲＯＭ１２８に予め記憶されている各種の色変換データの中からビデオスコープ５０で使用される色調整データに対応した色変換データを選択する（Ｓ２０７）。本実施形態においても、光源としてハロゲンランプが使用され、ビデオスコープ５０においてキセノンランプに適合した色調整データが使用されるため、この条件に適合した色変換データ“ＨＤ／ＫＤ”が選択される。そして、システムコントロール回路１２は、選択した色変換データを色変換回路１９２に渡し、選択した色変換データを使用してビデオスコープから受け取った映像信号に対して色変換処理を行うように色変換回路１９２を制御する（Ｓ２０８）。
【００５８】
このとき、システムコントロール回路１２は、ビデオスコープ５０がハロゲンランプ用の色調整データを使用していないことから、ビデオスコープ５０がハロゲンランプ用の色調整データを保有していないと判断する。更に、システムコントロール回路１２は、Ｓ２０３において取得されたビデオスコープ５０に関する情報に基づいて、ビデオスコープ５０に色調整データを追加登録できるか否かを判断する（Ｓ２０９）。システムコントロール回路１２は、ビデオスコープ５０に色調整データを追加登録できると判断した場合には（Ｓ２０９：ＹＥＳ）、ＥＥＰＲＯＭ１２８に予め記憶されているハロゲンランプ用の色調整データをスコープ制御部５６へ送信して（Ｓ２１０）、処理をＳ２１１へ進める。また、ビデオスコープ５０への色調整データの追加登録が不可と判断した場合には（Ｓ２０９：ＮＯ）、そのまま処理をＳ２１１に進める。
【００５９】
次に、ビデオスコープ５０が取り外されたか否か（Ｓ２１１）、システムが終了されたか否か（Ｓ２１２）が監視される。ビデオスコープ５０の取り外しが検知されると（Ｓ２１１：ＹＥＳ）、Ｓ２０１へ戻ってビデオスコープの再接続が監視される。また、システムが終了する場合は本処理も終了する（Ｓ２１２：ＹＥＳ）。
【００６０】
次に、図９のフローチャートを参照しながら、第２実施形態のビデオスコープ５０において実行される色調整データの抽出及び色調整データの取得処理について説明する。まず、Ｓ３０１において、ビデオスコープ５０がプロセッサ１０に接続されているか否かを確認する。接続が確認されない場合（Ｓ３０１：ＮＯ）、スコープ制御部５６は接続が確認されるまで接続の監視を続ける。プロセッサとの接続が確認されると（Ｓ３０１：ＹＥＳ）、スコープ制御部５６は、プロセッサ１０のシステムコントロール回路１２に、ランプ１３の種類に基づくランプ特性に関するデータを要求して、取得する（Ｓ３０２）。
【００６１】
次に、Ｓ３０３において、スコープ制御部５６は、取得したランプ１３の特性に関するデータに基づいて、ＥＥＰＲＯＭ５７に記憶された色調整データの中から、使用される光源ランプ１３に適合するものを、色調整処理で使用する色調整データとして選択する。なお、ランプ１３に適合したデータがＥＥＰＲＯＭ５７に記憶されていない場合には、ＥＥＰＲＯＭ５７に記憶された色調整データのうち予め指定されたもの（例えば、データが記憶されているアドレスの番号が一番若いもの）が使用する色調整データとして選択される。本実施形態においては、図７に示されるように、キセノンランプ用色調整データ“ＫＤ”のみがＥＥＰＲＯＭ５７に記憶されているため、使用する色調整データとして“ＫＤ”が選択される。
【００６２】
次に、Ｓ３０４において、スコープ制御部５６は、プロセッサ１０のシステムコントロール回路１２からの要求に応じて、ビデオスコープに関する情報を送信する。システムコントロール回路１２に送信されるビデオスコープに関する情報には、ビデオスコープ５０の型式やＳ３０２において選択されたビデオスコープ５０が使用する色調整データに関する情報（例えば、色調整データの識別番号や、色調整データが適合するランプの種別等）が含まれている。色調整データに関する情報は、例えばＥＥＰＲＯＭ５７に記憶されている各色調整データと対応付けられて、ＥＥＰＲＯＭ５７の別の領域（図示せず）に記憶されている。
【００６３】
次に、Ｓ３０５において、スコープ制御部５６は、Ｓ３０３で選択した色調整データ（キセノンランプ用“ＫＤ”）をＥＥＰＲＯＭ５７から読み出して初期信号処理回路５５に渡すとともに、ＣＣＤ５４から読み出されるカラー画像信号に対して色調整データ“ＫＤ”を使用して色調整処理を行うよう、初期信号処理回路５５を制御する。
【００６４】
そして、Ｓ３０６において、プロセッサ１０のシステムコントロール回路１２から送信（図８、Ｓ２１０）されたハロゲンランプ用色調整データ“ＨＤ”を受け取り、ＥＥＰＲＯＭ５７の空いている色調整データ記憶用領域に記憶する。
【００６５】
このように、第２実施形態によれば、使用する光源ランプ１３に適合した色調整データを保有しないビデオスコープ５０がプロセッサ１０に接続された場合でも、ビデオスコープ５０の行なう色調整処理において使用される色調整データに対応した色変換データを使用して適切な色変換処理がプロセッサ１０において行なわれる。これにより、観察部位を標準光で照射して肉眼で観察した場合と同じ色合いの観察画像がモニタ３２に表示される。更に、第２実施形態によれば、ビデオスコープ５０が色調整データの追記が可能な場合には、光源ランプ１３に適合した色調整データをスコープ制御部５６に送信してＥＥＰＲＯＭ５７の空き領域に記録することが可能となる。このため、ビデオスコープ５０が次回にプロセッサ１０に接続されたときには、ＥＥＰＲＯＭ５７に記憶されたハロゲンランプ用色調整データ“ＨＤ”を使用して適切な色調整処理を行うことができる。その際には、プロセッサ１０側で画像変換処理を行う必要がなくなるため、画質劣化を低減させることができ、消費電力も削減される。また、一度ハロゲンランプ用色調整データの追加記録を行えば、次に色変換回路を備えていないハロゲンランプを搭載したプロセッサに接続しても、追加されたハロゲンランプ用色調整データを使用して適切な色調整処理を行うことが可能になる。
【００６６】
上記実施形態では、補色カラーフィルタを用い、画素信号の読み出し方式として色差線順次方式が適用されているが、Ｒ，Ｇ，Ｂの原色カラーモザイクフィルタを使用し、また、ベイヤ−方式などを適用してもよい。この場合、初期信号処理回路５５内の回路構成は、原色カラーフィルタ、ベイヤ−方式に従った回路構成となる。また、撮像方式として、同時式だけでなく、面順次方式にも適用可能である。また、本実施形態では、モニタへのビデオ出力方式としてＮＴＳＣ方式が適用されているが、他の方式についても本発明を適用可能である。また、ビデオスコープ５０の初期信号処理回路がカラーマトリックス回路６８を含まず、ＲＧＢ信号が輝度／色差信号に変換されずにそのままプロセッサ１０に送られる構成であってもよい。この場合には、マトリックスデータは、例えばＲＧＢ信号をＲＧＢ信号に変換するものとなる。
【００６７】
ランプの種類に関しては、キセノン、メタルハライドランプ、ハロゲンランプに限定されず、他のランプ、例えばＬＥＤを使用してもよい。この場合、使用されるランプの分光特性に従って色調整データ及び色変換データが用意される。
【００６８】
上記実施形態では、キセノンランプ用の色調整データＫＤ、メタルハライドランプ用の色調整データＭＤ、ハロゲンランプ用の色調整データＨＤの各色調整処理に関するデータ信号は、ランプ毎に全て異なった値をもつが、所定のデータ信号のみランプ毎に異なるように構成してもよい。例えば、ガンマ特性データ信号“Ｃ−γＣＯＮＴ”に対応するデータを各ランプ毎に共通の値としてもよい。
【００６９】
また、上記実施形態では、ビデオスコープ５０は、プロセッサ１０との通信によって取得した光源ランプ１３の特性に関する情報に基づいて使用される光源ランプの種類を識別しているが、プロセッサから供給される照明光のスペクトル特性を計測する手段と、計測した照明光のスペクトル特性に基づいて使用されているランプの種類を識別する手段を有する構成にしてもよい。たとえば、スペクトル特性を計測する手段としては、プリズム等の分光素子と、その分光方向に配列したＣＣＤアレイやフォトダイオードアレイとを組み合わせたスペクトル測定デバイスを使用することができる。この構成により、プロセッサとの通信によって光源ランプ１３の特性に関する情報を取得することなく、ビデオスコープ側の処理だけで使用される光源ランプの種類を識別することが可能になる。従って、プロセッサが光源ランプ１３の特性に関する情報をビデオスコープに送信する機能を有していない場合でも、光源ランプの種類を識別し、その光源ランプに適合した色調整データを選択して、適切な色調整処理を行うことが可能になる。
【００７０】
また、上記第２実施形態では、ビデオスコープの書き換え可能メモリ（ＥＥＰＲＯＭ等）には複数セットの色調整データ用の記憶領域が確保されており、その空き領域にプロセッサに搭載された光源に適合する色調整データが追記される構成となっているが、例えばビデオスコープの書き換え可能メモリに確保される領域が１セット分のみで、プロセッサから取得した色調整データを既存のデータに上書き可能な構成にしてもよい。
【図面の簡単な説明】
【００７１】
【図１】本実施形態である電子内視鏡装置のブロック図である。
【図２】図１の初期信号処理回路を詳細に示した図である。
【図３】第１実施形態における、ビデオスコープ内のＥＥＰＲＯＭにあらかじめ記憶されている色調整に関するデータ表を示す図である。
【図４】図１のプロセッサ信号回路を詳細に示した図である。
【図５】プロセッサ内のＥＥＰＲＯＭにあらかじめ記憶されている色変換に関するデータ表を示す図である。
【図６】第１実施形態において、プロセッサ側で実行される色変換に関する処理を示したフローチャートである。
【図７】第２実施形態における、ビデオスコープ内のＥＥＰＲＯＭにあらかじめ記憶されている色調整に関するデータ表を示す図である。
【図８】第２実施形態において、プロセッサ側で実行される色変換及び色調整データの送信に関する処理を示したフローチャートである。
【図９】第２実施形態において、スコープ側で実行される色調整処理及び色調整用データの追加記録処理を示したフローチャートである。
【符号の説明】
【００７２】
１  電子内視鏡装置    
１０  プロセッサ
１２  ランプ（光源ランプ）
２２  システムコントロール回路
３２  モニタ（表示装置）
５０  ビデオスコープ
５４  ＣＣＤ（撮像素子）
５５  初期信号処理回路（色調整手段）
５６  スコープ制御部
５７  ＥＥＰＲＯＭ（ビデオスコープの色データメモリ）
６０  信号分離処理回路
６２  ＲＧＢマトリックス回路（原色信号生成手段）
６４  ホワイトバランス回路（ホワイトバランス調整手段）
６６  ガンマ補正回路（ガンマ補正処理手段）
６８  カラーマトリックス回路（映像信号生成手段）
１２８  ＥＥＰＲＯＭ（プロセッサの色データメモリ）
１９６  色変換回路（色変換手段）
１９４  ビデオ信号生成回路
【図１】
0005424570.tif 000002
【図２】
0005424570.tif 000003
【図３】
0005424570.tif 000004
【図４】
0005424570.tif 000005
【図５】
0005424570.tif 000006
【図６】
0005424570.tif 000007
【図７】
0005424570.tif 000008
【図８】
0005424570.tif 000009
【図９】
0005424570.tif 000010